(57)【要約】【課題】封筒の表出シートには印刷、印字が可能であり、内側に形成される緩衝材は保護すべき商品に求められる必要な緩衝効果レベルに応じて凹凸を定めることができる、高生産性を備えた緩衝材付き封筒を提供することを目的とする。【解決手段】表台紙と裏台紙が周縁端部で貼り合わされて形成された長方形又は正方形の封筒であって、表台紙と裏台紙は、対向する二辺端部と残る二辺の何れか一端部で貼り合わされ、表台紙、または、裏台紙の少なくとも何れか一方の台紙の内側の面には、波形形状に折り曲げられた緩衝材が、前記封筒の開口部付近の固定部で固定されて形成された緩衝材付き封筒を提供する。【選択図】  図１
2008094411.tif 000002
【特許請求の範囲】
【請求項１】
表台紙と裏台紙が周縁端部で貼り合わされて形成された長方形又は正方形の封筒であって、
表台紙と裏台紙は、対向する二辺端部と残る二辺の何れか一端部で貼り合わされ、
表台紙、または、裏台紙の少なくとも何れか一方の台紙の内側の面には、波形形状に折り曲げられた緩衝材が、前記封筒の開口部付近の固定部で固定されて形成されたことを特徴とする緩衝材付き封筒。
【請求項２】
請求項１に記載の緩衝材付き封筒において、
表台紙，裏台紙及び緩衝材には、パルプを主原料とする材料が使用されていることを特徴とする緩衝材付き封筒。
【請求項３】
請求項１、または、２に記載の緩衝材付き封筒において、
緩衝材の波形は、開口辺に略平行に形成されたことを特徴とする緩衝材付き封筒。
【請求項４】
請求項１〜３何れか一項に記載の緩衝材付き封筒において、
緩衝材が表台紙側と裏台紙側両方に固定されて形成された場合は、表台紙に形成された緩衝材の波形の凹部に裏台紙に形成された緩衝材の波形の凸部が対応するように固定されたことを特徴とする緩衝材付き封筒。
【請求項５】
請求項１〜４何れか一項に記載の緩衝材付き封筒において、
表裏何れかの台紙の開口部分には、フラップ部が形成され、フラップ部には封筒を封緘するための粘着剤が剥離紙で保護されて形成されたことを特徴とする緩衝材付き封筒。
【発明の詳細な説明】
【技術分野】
【０００１】
本発明は、封筒の内部に緩衝材を備えた緩衝材付き封筒に関する。
【背景技術】
【０００２】
通販会社では、商品の配達のために宅配便を利用することが多い。
その際、商品のほかに、段ボールや封筒などの収納具、納品明細書，配送伝票といったものが準備される。商品が化粧品や食べ物、文房具等小物類の場合の収納具には、ほぼ例外なく段ボールか封筒が使用される。
通販会社では、納品明細書を見ながら、顧客からリクエストのあった商品を所定の収納具（例えば、段ボール）に入れ、そして箱詰めした内容をチェックしてから納品明細書も段ボールに入れ、段ボールを封緘したら、配送伝票を所定位置に貼り込んで発送するというのが代表的な配送までの流れである。
しかしながら、商品毎に段ボールが用意されるわけではないために、多くの場合、商品と段ボールの内側に隙間が生じる。この隙間のために輸送途中で商品が箱内で踊ってしまい、その結果、最悪の場合、届いた荷物が破損することになってしまう。この破損を防ぐために、詰め物を入れたり、緩衝材と呼ばれる資材を隙間に入れている。
つまり、前述の「代表的な配送の流れ」には、商品を箱に入れた後で「緩衝材を入れる」という工程が抜けている。
家電製品のように、箱の中に納める商品の形やサイズが一定であれば、緩衝材でなく、パルプモールド等で製品を中空に浮かしたりすることも可能であるが、通販の場合は、前述のように、同じものを１個だけ買う人や複数まとめて買う人がいるために、全パターンに合わせた箱を用意することは現実的ではない。その結果、緩衝材は不可欠な資材となっている。
【０００３】
そこで、合成樹脂を原料とする緩衝材が提供されている（例えば、特許文献１参照）。
しかしながら、特許文献１に記載されている「筒状の緩衝包装部材」は、顧客側の環境意識の高まりもあって、従来から広く利用されている「エアキャップ」等の合成樹脂を原料とする緩衝材と同様、近年使い難くなってきている。
一方、前述した詰め物として、新聞紙を丸めて入れたり、シュレッダーの塵を箱の中に入れる方法は、環境面ではともかく、商品を受け取る顧客からはその体裁から、必ずしも好評ではない。また、パルプを主原料とする紙では「エアキャップ」のようなものは作り難い。
【０００４】
【特許文献１】特開２００４−９０９３４号公報
【発明の開示】
【発明が解決しようとする課題】
【０００５】
そこで本発明では、ビジネスフォームで広く利用される複写帳票を製造する技術をベースとして作製可能な封筒を提供するもので、封筒の表出シートには印刷、印字が可能であり、内側に形成される緩衝材は保護すべき商品に求められる必要な緩衝効果レベルに応じて凹凸を定めることができる、高生産性を備えた緩衝材付き封筒を提供することを目的とするものである。
【課題を解決するための手段】
【０００６】
前記課題の目的を達成するために、本発明の緩衝材付き封筒の第一の態様は、表台紙と裏台紙が周縁端部で貼り合わされて形成された長方形又は正方形の封筒であって、表台紙と裏台紙は、対向する二辺端部と残る二辺の何れか一端部で貼り合わされ、表台紙、または、裏台紙の少なくとも何れか一方の台紙の内側の面には、波形形状に折り曲げられた緩衝材が、前記封筒の開口部付近の固定部で固定されて形成されたことを特徴とするものである。
【０００７】
また、第二の態様は、第一の態様において、表台紙，裏台紙及び緩衝材には、パルプを主原料とする材料が使用されていることを特徴とするものである。
【０００８】
また、第三の態様は、第一、または、第二の態様において、緩衝材の波形は、開口辺に略平行に形成されたことを特徴とするものである。
【０００９】
また、第四の態様は、第一〜第三の態様において、緩衝材が表台紙側と裏台紙側両方に固定されて形成された場合は、表台紙に形成された緩衝材の波形の凹部に裏台紙に形成された緩衝材の波形の凸部が対応するように固定されたことを特徴とするものである。
【００１０】
また、第五の態様は、第一〜第四何れかの態様において、表裏何れかの台紙の開口部分には、フラップ部が形成され、フラップ部には封筒を封緘するための粘着剤が剥離紙で保護されて形成されたことを特徴とするものである。
【発明の効果】
【００１１】
１）本発明の緩衝材付き封筒の第一の態様のように、表台紙と裏台紙が周縁端部で貼り合わされて形成された長方形又は正方形の封筒であって、表台紙と裏台紙は、対向する二辺端部と残る二辺の何れか一端部で貼り合わされ、表台紙、または、裏台紙の少なくとも何れか一方の台紙の内側の面には、波形形状に折り曲げられた緩衝材が、前記封筒の開口部付近の固定部で固定されて形成されたことによって、ビジネスフォームで広く利用される複写帳票を製造する技術をベースとして作製可能で、封筒の表出シートには印刷、印字が可能であり、内側に形成される緩衝材は保護すべき商品に求められる必要な緩衝効果レベルに応じて、凹凸を定めることができ、生産性が高く、緩衝材付き封筒を低コストで提供することができる。
２）また、第二の態様のように、第一の態様において、表台紙，裏台紙及び緩衝材には、パルプを主原料とする材料が使用されていることによって、環境にやさしい緩衝材付き封筒とすることができる。
３）また、第三の態様のように第一、または、第二の態様において、緩衝材の波形は、開口辺に略平行に形成されたことによって、封筒に収容される内容物（保護すべき商品）が、その厚さに応じて適度に固定され、内容物が安全に送り届けられる。
４）また、第四の態様のように、第一〜第三の態様において、緩衝材が表台紙側と裏台紙側両方に固定されて形成された場合は、表台紙に形成された緩衝材の波形の凹部に裏台紙に形成された緩衝材の波形の凸部が対応するように固定されたことによって、内容物が収納される前の封筒をスリムに仕上げる事ができ、保管場所の省スペース化を計る事ができる。
５）また、第五の態様のように、第一〜第四何れかの態様において、表裏何れかの台紙の開口部分には、フラップ部が形成され、フラップ部には封筒を封緘するための粘着剤が剥離紙で保護されて形成されたことによって、封緘作業が簡素化され物流コストの低減化につなげることができる。
【発明を実施するための最良の形態】
【００１２】
以下、図面を参照して本発明の緩衝材付き封筒について詳細に説明する。
図１は、本発明の緩衝材付き封筒の一例について説明するための図，図２は、本発明の緩衝材付き封筒の断面の一例について説明するための図，である。
【００１３】
本発明の緩衝材付き封筒は、長方形又は正方形の形状をしているが、以下の説明では、長方形の封筒の例で説明する。
本発明の緩衝材付き封筒１は、図１のように表台紙１１と裏台紙１２が周縁端部の接着部１２２で貼り合わされて封筒を形成している。
封筒を形成する表台紙１１と裏台紙１２は、短辺が同一サイズで、長辺は、表台紙１１が裏台紙１２より若干長めになっており、表台紙１１と裏台紙１２は、表裏台紙の両長辺端部と短辺の一端部が接着部１２２で貼り合わされている。
図示しないが、表台紙１１と裏台紙１２の表出部には、多くの場合、商品を封筒に収納して送付する側の宣伝のための文字情報や、デザインなどの印刷が施される。
また、表台紙１１の表出面には、プリンタなどにより、送付先の固有情報や、商品に関する情報などがプリントされる場合もある。
【００１４】
それぞれの台紙の内側に形成された緩衝材Ａ２１，緩衝材Ｂ２２は、略均等な波形形状に折り曲げられ、封筒の開口部付近の固定部（図示せず）で固定されて形成されている。
表台紙１１が裏台紙１２より長くなって突出している部分は、フラップ部１１２になっており、フラップ部１１２の裏台紙１２側には、粘着剤（図示せず）が形成され、粘着剤面は剥離紙４で保護されている。
また、フラップ部１１２のフラップ開始部分には、封緘の際に、折り曲げ易いようにミシン目などによる折り部１１１が形成される場合もある。
【００１５】
図２のａ図は、図１の分解前の緩衝材付き封筒１を、長辺に平行に、表台紙から裏台紙方向に切断した断面の一例を示している。
図に示す緩衝材付き封筒１は、長辺方向の表台紙１１の長さが裏台紙１２より若干大きめに形成されている。
表台紙１１が裏台紙１２より長くなって突出している部分は、フラップ１１２になっており、フラップ部１１２の裏台紙１２に対向する側には、粘着剤３が形成され、粘着剤面は剥離紙４で保護されている。
また、フラップ部１１２の開始部分には、封緘の際に、折り曲げ易いようにミシン目などによる折り部１１１が形成されている。
また、表台紙１１と裏台紙１２は、図示しないが、対向する二辺端部と残る二辺の何れか一端部が、接着部１２２で貼り合わされている。
【００１６】
表台紙１１の封筒内側に形成された緩衝材Ａ２１は、略均等な波形形状に折り曲げられ、封筒の開口部付近の固定部２１１で表台紙１１に固定されて形成されている。
同様、裏台紙１２の内側に形成された緩衝材Ｂ２２は、略均等な波形形状に折り曲げられ、封筒の開口部付近の固定部２２１で裏台紙１２に固定されて形成されている。
図２のａ図に示すように、緩衝材の波形は、開口部に平行に形成され、緩衝材が表台紙と裏台紙両方に形成された場合は、表台紙１１に形成された緩衝材Ａ２１の波形の凹部に裏台紙１２に形成された緩衝材Ｂ２２の波形の凸部が対応するようにそれぞれ固定部２１１，２２１で固定されている。
その結果、表裏の台紙間の距離を狭めることができ、コンパクトに仕上げることができる。
【００１７】
図２のｂ図に示す緩衝材付き封筒１００の例は、封筒の構造はａ図に示す緩衝材付き封筒１と同一であるが、均等な波形形状に折り曲げられた緩衝材２１００が緩衝材付き封筒１００の表台紙１１００にのみ形成されている一例である。
【００１８】
図２のａ図のような緩衝材付き封筒は、両側を保護しなければならないような封入物に対して適用され、ｂ図のような緩衝材付き封筒は、片側を保護すればよいような封入物に適用される。
【００１９】
（材料）
図２のａ図を一部参照して本発明の緩衝材付き封筒に使用される材料の一例について説明する。
先ず、緩衝材付き封筒１の台紙１１，１２、および、緩衝材２１，２２には、パルプを主原料とする材料（以下、紙の例で説明する）を使用する。
パルプには，クラフトパルプ，サルファイトパルプ等の化学パルプ，グラウンドパルプ，リファイナーグラウンドウッドパルプ等の機械パルプ，ケミグラウンドウッドパルプ，セミケミカルパルプ等の半化学パルプ，古紙パルプ，合成パルプ等があり、これらを単独または数種類混合して使用する。
これらパルプを主原料とした塗工紙として、通常市販されている、例えば、アート紙，コート紙，軽量コート紙，微塗工紙等があり、非塗工紙として、例えば、上質紙，中質紙，下級紙や未晒クラフト紙，晒クラ フト紙等がある。
本発明の緩衝材付き封筒の台紙、および、緩衝材用として、これらの紙から適宜選択して使用する。
【００２０】
接着部１２２や固定部２１１，２２１に使用する接着剤としては、澱粉系，天然ゴム系，酢酸ビニル系，ＥＶＡ系，ポリウレタン系，ポリビニルアルコール系，アクリル系その他から選択し、製造装置に合せて使用する。
また、フラップ部１１２に使用される粘着剤３，剥離紙４として、市販の両面テープや、通常の粘着剤と剥離紙等を使用することができる。
【００２１】
本発明の緩衝材付き封筒に使用される材料の一例について説明したが、前述の記載材料に拘るものではなく、適宜選択し、また、選択したものを組み合わせて使用することができる。
【産業上の利用可能性】
【００２２】
通信販売などの業種における送付用の商品収納封筒に利用できる。
【図面の簡単な説明】
【００２３】
【図１】本発明の緩衝材付き封筒の一例について説明するための図である。
【図２】本発明の緩衝材付き封筒の断面の一例について説明するための図である。
【符号の説明】
【００２４】
１，１００  緩衝材付き封筒
３      粘着剤
４      剥離紙
１１，１１００  表台紙
１２    裏台紙
２１，２１００  緩衝材Ａ
２２    緩衝材Ｂ
１１１  折り部
１１２  フラップ部
１２２  接着部
２１１，２２１  固定部
【図１】
2008094411.tif 000003
【図２】
2008094411.tif 000004